(57)【要約】【課題】情報表示パネルの支持力を高めることでパネルに対してずれたり外れたりする不具合を抑制するとともに、情報表示パネルの着脱が容易となる。【解決手段】電子棚札１は、液晶パネル２１を有する電子棚札本体２と、電子棚札本体２を収容する棚札フレーム３とを備えている。棚札フレーム３は、その表示部表面側に配置されるとともに、電子表示部用の窓を形成した額縁状枠部３２と、額縁状枠部３２の表面に設けられ、任意の情報を表示可能な窓縁表示パネル４を、表示部表面の上方より差し込んで保持可能な一対で対向配置された案内レール３３Ａ、３３Ｂとを備えている。【選択図】図１
2010110506.tif 000002
【特許請求の範囲】
【請求項１】
電子表示部を有する電子棚札本体と、該電子棚札本体を収容する棚札フレームとを備えた電子棚札であって、
前記棚札フレームは、
前記電子表示部用の窓を形成した額縁状枠部と、
該額縁状枠部の表示部表面側に配置されるとともに、任意の情報を表示可能な情報表示パネルを、上下方向、および横方向のいずれかの方向に差し込んで保持可能な一対で対向配置された案内レールと、
を備えて構成されていることを特徴とする電子棚札。
【請求項２】
前記情報表示パネルは、前記案内レールに対して前記表示部表面の上方より差し込み可能であることを特徴とする請求項１に記載の電子棚札。
【請求項３】
前記案内レールには、前記情報表示パネルの差し込みによる移動を規制する係止部が設けられていることを特徴とする請求項１または２に記載の電子棚札。
【請求項４】
請求項１乃至３のいずれかに記載の電子棚札の前記案内レールに対して、着脱自在に保持可能とされることを特徴とする情報表示パネル。
【請求項５】
前記額縁状枠部の額縁部分を覆うようにして重なる形状をなしていることを特徴とする請求項４に記載の情報表示パネル。
【請求項６】
前記案内レールに挿入する方向と反対方向に表示部分を延ばした形状をなしていることを特徴とする請求項４に記載の情報表示パネル。
【請求項７】
別の表示部材を挿入可能なクリアケースであることを特徴とする請求項４に記載の情報表示パネル。
【請求項８】
電子表示部を有する電子棚札本体と、該電子棚札本体を収容する棚札フレームとを備えた電子棚札を使用した情報表示方法であって、
前記電子棚札本体の電子表示部で任意の価格を表示する工程と、
前記電子表示部用の窓を形成した額縁状枠部の表示部表面側に設けた案内レールに対して情報表示パネルを上下方向、および横方向のいずれかの方向に差し込んで保持し、前記情報表示パネルで任意の情報を表示する工程と、
を有することを特徴とする情報表示方法。
【発明の詳細な説明】
【技術分野】
【０００１】
本発明は、小売販売店等で商品の値段などを表示するための電子棚札、情報表示パネル、および情報表示方法に関する。
【背景技術】
【０００２】
近年、スーパーマーケット等の小売販売店では、商品価格を表示させた電子棚札を商品陳列棚に取り付けることで、店内商品を集中管理している。例えば日毎、週毎などで変わる商品の値段をその対象商品の電子棚札に信号を送信して、値段表示を容易に且つ効率的に変更することができるようになっている。そして、このような電子棚札には、とくにサービス商品などを顧客に対して目立たせるために、文字や数字を表示させた情報表示パネルが着脱可能に取り付けられている（例えば、特許文献１参照）。
【０００３】
図１１は、上述した従来の電子棚札の一例であり、特許文献１に記載されている電子棚札に情報表示パネルを装着するための構造を示す斜視図である。すなわち、図１１に示す情報表示パネル１００は、商品の値段を表示する電子棚札１１０の表示部分を露出させる窓孔１０１が形成され、その窓孔１０１の周囲に文字や数字を表示する窓枠１０２を有する弾性変形可能な部材から形成されている。情報表示パネル１００を装着する電子棚札１１０は、電子表示部を収容する外殻をなすフレーム部の側面１１０ａ（電子棚札１１０の厚さ方向の外周面）の周囲に周方向に沿う溝状の取付け溝１１１が形成されている、その電子棚札１１０は取付け溝１１１が側面１１０ａより突出する突起１１１ａ、１１１ｂにより形成され、その取付け溝１１１に対して情報表示パネル１００を弾性変形させつつ窓孔１０１を嵌め込んで電子棚札１１０の側面１１０ａに装着する構造となっている。
【特許文献１】特開２００５−４０３３４号公報
【発明の開示】
【発明が解決しようとする課題】
【０００４】
しかしながら、特許文献１で開示されている棚札用フレームでは、以下のような問題があった。
すなわち、図１１に示す特許文献１では、棚札用フレーム１００が棚札１１０から外れないようにするためには、棚札１１０の側面１１０ａのうち少なくとも対向する一対の側面の取付け溝１１１、１１１によって棚札用フレーム１００を支持する必要があるが、これら棚札１１０の上下両側面の外周部に形成された取付け溝１１１、１１１に対して棚札用フレーム１００を変形させての窓孔１０１を嵌め込む作業は容易ではないという問題があった。
また、棚札の外周側面に棚札用フレームの内周部を嵌合させて取り付ける構造であるので、棚札の取付け溝に対して棚札用フレームがずれ易い構造であり、例えば客が商品を取るときに棚札用フレームに接触して容易に棚札用フレームがずれたり外れたりすることから、そのずれを直す手間や時間がかかっていた。
【０００５】
本発明は、上述する問題点に鑑みてなされたもので、情報表示パネルの支持力を高めることでパネルに対してずれたり外れたりする不具合を抑制するとともに、情報表示パネルの着脱が容易な電子棚札、情報表示パネル、および情報表示方法を提供することを目的とする。
【課題を解決するための手段】
【０００６】
上記目的を達成するため、本発明に係る電子棚札では、電子表示部を有する電子棚札本体と、電子棚札本体を収容する棚札フレームとを備えた電子棚札であって、棚札フレームは、電子表示部用の窓を形成した額縁状枠部と、額縁状枠部の表示部表面側に配置されるとともに、任意の情報を表示可能な情報表示パネルを、上下方向、および横方向のいずれかの方向に差し込んで保持可能な一対で対向配置された案内レールとを備えて構成されていることを特徴としている。
【０００７】
また、本発明に係る情報表示パネルは、上述した電子棚札の案内レールに対して、着脱自在に保持可能とされることを特徴としている。
【０００８】
また、本発明に係る情報表示方法では、電子表示部を有する電子棚札本体と、電子棚札本体を収容する棚札フレームとを備えた電子棚札を使用した情報表示方法であって、電子棚札本体の電子表示部で任意の価格を表示する工程と、電子表示部用の窓を形成した額縁状枠部の表示部表面側に設けた案内レールに対して情報表示パネルを上下方向、および横方向のいずれかの方向に差し込んで保持し、情報表示パネルで任意の情報を表示する工程とを有することを特徴としている。
【０００９】
本発明では、額縁状枠部に設けられた一対の案内レールに沿わせて情報表示パネルを上下方向或いは横方向に差し込むことで、額縁状枠部の表示表面側で情報表示パネルを取り付けたり、交換することができる。これにより、例えば電子棚札本体の電子表示部で商品の価格を表示し、その他に、情報表示パネルによって文字情報や色分けによる表示を行うことができる。そして、情報表示パネルは案内レールによって支持されるとともに、情報表示パネルの取付け部が表示表面側となることから、情報表示パネルの支持力を高めた構造となる。
【００１０】
また、本発明に係る電子棚札では、情報表示パネルは、案内レールに対して表示部表面の上方より差し込み可能であることが好ましい。
本発明では、情報表示パネルを額縁状枠部の案内レールに対して上方から差し込むことができるので、商品陳列棚において電子棚札が横方向に近接した状態で配置される場合であっても、横方向に隣り合う電子棚札に干渉することなく、容易に情報表示パネルを取り付けたり、交換することができる。
【００１１】
また、本発明に係る電子棚札では、案内レールには、情報表示パネルの差し込みによる移動を規制する係止部が設けられていることが好ましい。
本発明では、情報表示パネルを案内レールに沿わせて移動させて差し込む際には、情報表示パネルが所定位置に設けられた係止部に当接して係止することで、情報表示パネルを額縁状枠部に対して所定位置に保持させることができる。
【００１２】
また、本発明に係る情報表示パネルは、額縁状枠部の額縁部分を覆うようにして重なる形状をなしていてもよい。
これにより、電子表示部の周囲の額縁状枠部の領域が情報表示パネルの情報表示部となり、この部分に文字情報などを表示することができる。そして、情報表示パネルが棚札フレームより外側に張出さないので、例えば顧客が商品陳列棚から商品を取る際などにおいて、情報表示パネルに接触してずれるといった不具合をなくすことができる。
【００１３】
また、本発明に係る情報表示パネルは、案内レールに挿入する方向と反対方向に表示部分を延ばした形状をなしていてもよい。
本発明では、情報表示パネルが延びた分だけ表示部分が増大されることから、電子棚札本体の電子表示部とは別でより多くの情報量を表示することができる。
【００１４】
また、本発明に係る情報表示パネルは、別の表示部材を挿入可能なクリアケースであってもよい。
本発明では、棚札フレームにクリアケースが装着された状態で、棚札フレームの案内レールに保持させたクリアケースの挿入領域に適宜な文字情報などを記載した別の表示部材を挿入することで、電子棚札本体の電子表示部とは別の情報を表示することができる。
【発明の効果】
【００１５】
本発明の電子棚札、情報表示パネル、および情報表示方法によれば、額縁状枠部の表示表面側に設けた案内レールに差し込むだけの簡単な方法によって、情報表示パネルを棚札フレームに対して容易に装着することができる。そして、案内レールによって情報表示パネルが保持された状態となり、情報表示パネルに対する支持力を高めた構造となるので、例えば顧客が商品陳列棚から商品を取る際に情報表示パネルに接触して、その情報表示パネルがずれたり外れるといった不具合を抑制することができ、そのような不具合を直すためにかかる手間や時間をなくすことができる利点がある。
【発明を実施するための最良の形態】
【００１６】
以下、本発明の第１の実施の形態による電子棚札、情報表示パネル、および情報表示方法について、図１乃至図６に基づいて説明する。
図１は本発明の第１の実施の形態による電子棚札の概略構成を示す斜視図、図２は電子棚札の正面図、図３は電子棚札の側面図であって、図２に示すＡ−Ａ線矢視図、図４は電子棚札の下面図であって、図２に示すＢ−Ｂ線矢視図、図５は図２に示すＣ−Ｃ線断面図、図６は図５に示す電子棚札の端部の拡大図である。
【００１７】
図１に示すように、本第１の実施の形態による電子棚札１は、例えばスーパーマーケットなどの小売商店で商品棚に使用されて商品の価格を電子表示するものであり、価格の他に例えばサービス商品であることの文字情報や色分けによる識別機能をもたせ、顧客に対して目立たせるようにしたものである。ここで、図１は、後述する窓縁表示パネル４が棚札フレーム３に装着していない分離された状態を示している。
【００１８】
図１乃至図４に示すように、電子棚札１は、例えば商品の価格を表示するための液晶パネル２１（電子表示部）を有する電子棚札本体２と、この電子棚札本体２を内部に収容する棚札フレーム３とを備えている。そして、棚札フレーム３の表示表面側には、任意の情報（例えば、文字情報や色など）を表示可能な窓縁表示パネル４（情報表示パネル）が着脱可能となっている。
なお、図２は窓縁表示パネル４を二点鎖線で示しており、図３及び図４では窓縁表示パネル４を省略した図となっている。また、以下の説明において、電子棚札１における「上方」とは図２に示す上側の位置であり、「下方」とは同じく下側の位置とする。
【００１９】
図５及び図６に示すように、電子棚札本体２は、上下２枚の液晶パネル２１（２１ａ、２１ｂ）と、下側液晶パネル２１ｂの背面側（図５、図６で下側）に設けられているメイン基板２２と、そのメイン基板２２の背面側に設けられているバッテリー２３と、メイン基板２２の上部に取り付けられていて液晶パネル２１で表示するための情報を図示しない端末により受信するためのアンテナ２４（図２参照）とから概略構成されており、例えば電気を使用しないメモリー性液晶が採用されている。
【００２０】
図２乃至図６に示すように、棚札フレーム３は、上述したように電子棚札本体２を収容するカバーの機能をもたせたものであり、収容部３１（図５、図６参照）と、表示表面側に電子棚札本体２の液晶パネル２１を表示するための開口窓３２ａ（窓）を形成した額縁状枠部３２と、額縁状枠部３２の表面に設けられていて窓縁表示パネル４を上下方向に差し込んで保持可能な一対で対向配置された案内レール３３（３３Ａ、３３Ｂ）とから概略構成されている。さらに、棚札フレーム３は、その上部において電子棚札本体２のアンテナ２４を収容するためのアンテナ収容部３４が設けられ、下部においてバーコード取付部３５が設けられている。
【００２１】
額縁状枠部３２は、上述したように略四角形状の開口窓３２ａを形成させており、この開口窓３２ａの大きさは、図２において液晶パネル２１の表示部が見える適宜な大きさとなっている。さらに、本実施の形態では、額縁状枠部３２の表示部表面側においてほぼ全面にわたって透明のアクリル板３６が設けられている。
【００２２】
案内レール３３Ａ、３３Ｂは、額縁状枠部３２の表示部表示面側に配置されるとともに、左右方向で額縁状枠部３２の両側に位置する両辺部３２ｂ、３２ｂ（図２参照）に沿って縦方向に延びて配置され、それぞれ図５、図６に示すように断面視で内方（開口窓３２ａ側）に開口する凹溝３３ａが形成されている。各案内レール３３Ａ、３３Ｂは、上端が開放された挿入部３３ｂが形成されており、下端には窓縁表示パネル４の差し込みによる移動を規制する係止部３３ｃが設けられている（図１参照）。
つまり、案内レール３３Ａ、３３Ｂのそれぞれの凹溝３３ａは、挿入部３３ｂより差し込まれた窓縁表示パネル４の左右方向の端部（後述する保持端部４１）を案内するとともに、差し込んだ窓縁表示パネル４を保持する機能を有している。
【００２３】
図１に示すように、窓縁表示パネル４は、額縁状枠部３２の額縁部分を覆うようにして重なる形状、すなわち額縁状枠部３２と略同形状の開口部４ａを形成した枠形状をなしており、その表面は例えば色分け可能であったり、文字情報（例えばスーパー名など）を記載できるようになっている。そして、窓縁表示パネル４を棚札フレーム３に装着した状態で、窓縁表示パネル４の開口部４ａに電子棚札本体２の液晶パネル２１の表示領域が入るようになっている。つまり、液晶パネル２１の周囲の額縁状枠部３２の領域が窓縁表示パネル４の情報表示部となり、この部分に文字情報などを表示することができる。
窓縁表示パネル４の両側辺部４ｂ、４ｂには、それぞれ側方に張り出した凸状端部４１（４１Ａ、４１Ｂ）が形成されている。左右両側に形成されている凸状部４１Ａ、４１Ｂは、それぞれに対応する案内レール３３Ａ、３３Ｂの凹溝３３ａに沿って下方に案内されるとともに、凸状部４１の下面部４１ａが前記案内レール３３の係止部３３ｃに当接して係止する構成となっている。
【００２４】
次に、このように構成される電子棚札１の作用について、図面に基づいて詳細に説明する。
図１に示すように、額縁状枠部３２に設けられた一対の案内レール３３Ａ、３３Ｂに沿わせて窓縁表示パネル４を挿入部３３ｂから下方に差し込むことで、額縁状枠部３２の表示表面側で窓縁表示パネル４を取り付けたり、交換することができる。これにより、例えば電子棚札本体２の液晶パネル２１で商品の価格を表示し、その他に、窓縁表示パネル４によって文字情報や色分けによる表示を行うことができる。
そして、窓縁表示パネル４を案内レール３３Ａ、３３Ｂに対して上方から差し込むことができるので、商品陳列棚において電子棚札１が横方向に近接した状態で配置される場合であっても、横方向に隣り合う電子棚札１に干渉することなく、容易に窓縁表示パネル４を取り付けたり、交換することができる。しかも、棚札フレーム３に装着された窓縁表示パネル４が棚札フレーム３より外側に張出さない構成となるので、例えば顧客が商品陳列棚から商品を取る際などにおいて、窓縁表示パネル４に接触してずれるといった不具合をなくすことができる。
【００２５】
また、窓縁表示パネル４は案内レール３３Ａ、３３Ｂの凹溝３３ａによって支持されるとともに、窓縁表示パネル４の取付け部が表示表面側となることから、窓縁表示パネル４の支持力を高めた構造となる。
さらに、窓縁表示パネル４を案内レール３３Ａ、３３Ｂに沿わせて移動させて差し込む際には、窓縁表示パネル４における凸状部４１の下面部４１ａが所定の位置に設けられた係止部３３ｂに当接して係止することで、窓縁表示パネル４を額縁状枠部３２（液晶パネル２１）に対する所定位置に保持させることができる。
【００２６】
上述のように本第１の実施の形態による電子棚札、情報表示パネル、および情報表示方法では、額縁状枠部３２の表示表面側に設けた案内レール３３Ａ、３３Ｂに差し込むだけの簡単な方法によって、窓縁表示パネル４を棚札フレーム３に対して容易に装着することができる。そして、案内レール３３Ａ、３３Ｂによって窓縁表示パネル４が保持された状態となり、窓縁表示パネル４に対する支持力を高めた構造となるので、例えば顧客が商品陳列棚から商品を取る際に窓縁表示パネル４に接触して、その窓縁表示パネル４がずれたり外れるといった不具合を抑制することができ、そのような不具合を直すためにかかる手間や時間をなくすことができる利点がある。
【００２７】
次に、他の実施の形態について、添付図面に基づいて説明するが、上述の第１の実施の形態と同一又は同様な部材、部分には同一の符号を用いて説明を省略し、第１の実施の形態と異なる構成について説明する。
図７は第２の実施の形態による電子棚札の構成を示す正面図である。
図７に示すように、第２の実施の形態では、第１の実施の形態と同様の電子棚札１（図２参照）の表示部表面側に装着される窓縁表示パネル４に代えて、案内レール３３Ａ、３３Ｂに挿入する方向と反対方向に表示部分を延ばした形状をなすスポッター６（情報表示パネル）を採用したものである。具体的にスポッター６は、案内レール３３Ａ、３３Ｂに保持されるとともに開口部６ａを形成させた枠部６１と、この枠部６１より上方に延ばした張出し表示部６２とからなる。なお、枠部６１の左右両側には、第１の実施の形態の窓縁表示パネル４の凸状部４１（図１参照）と同様の形状をなす凸状部（図示省略）が形成されており、案内レール３３Ａ、３３Ｂの凹溝に嵌合した状態で挿入される構造となっている。
本第２の実施の形態では、枠部６１より上方に延びた張出し表示部６２の分だけ表示部分が増大されることから、電子棚札本体２の液晶パネル２１とは別でより多くの情報量を表示することができる効果を奏する。
【００２８】
次に、図８は第３の実施の形態による電子棚札の構成を示す図であって、（ａ）はその正面図、（ｂ）はその側面図である。
図８（ａ）、（ｂ）に示すように、第３の実施の形態では、第１の実施の形態の窓縁表示パネル４（図２参照）に代えて、別の表示部材７３を挿入可能な透明のクリアケース７（情報表示パネル）を採用したものである。また、本第３の実施の形態の電子棚札１Ａは、第１の実施の形態の電子棚札１（図２参照）より左右方向に短い長さ寸法をなしている。具体的にクリアケース７は、案内レール３３Ａ、３３Ｂに保持されるとともに開口部７ａを形成させた枠部７１と、枠部７１より上方に延ばした挿入部７２とからなる。挿入部７２は、二枚のケースが重なって横方向から表示部材７３を挿入させるための挿入口７２ａを有している。
なお、枠部７１の左右両側には、第１の実施の形態の窓縁表示パネル４の凸状部４１（図１参照）と同様の形状をなす凸状部（図示省略）が形成されており、案内レール３３Ａ、３３Ｂの凹溝に嵌合した状態で挿入される構造となっている。
本第３の実施の形態では、棚札フレーム３にクリアケース７が装着された状態で、棚札フレーム３の案内レール３３Ａ、３３Ｂに保持させたクリアケース７の挿入領域（挿入部７２）に適宜な文字情報などを記載した表示部材７３を横方向から挿入することで、電子棚札本体２の液晶パネル２１とは別の情報を表示することができる。
【００２９】
次に、図９は第４の実施の形態による電子棚札の構成を示す斜視図であって、ライナーに取り付けた状態の図、図１０は図９に示す電子棚札の側面図である。
図９及び図１０に示すように、第４の実施の形態の電子棚札１Ａは、上述した第３の実施の形態の左右方向の長さの短い電子棚札１Ａに、第２の実施の形態と同様の構成で電子棚札１Ａの左右方向の長さ寸法に合わせた形状をなすスポッター６Ａを装着させ、商品陳列棚（図示省略）に設けたライナー８に取り付けられている。この状態において、ライナー８は、図示しない商品棚の一部に取り付けるための取付部８１と、電子棚札１Ａを支持する電子棚札支持部８２とからなる。この電子棚札支持部８２には、電子棚札１Ａの上下部をそれぞれ保持するための上部係止部８ａと下部係止部８ｂとが形成されている。すなわち、ライナー８の下部係止部８ｂが棚札フレーム３のバーコード取付部３５に係止するとともに、上部係止部８ａが額縁状枠部３２の上表面３２ｃに係止する構成となっている。
つまり、スポッター６Ａが額縁状枠部３２の表示表面側に位置しているので、電子棚札１Ａの背面側においてスポッター６Ａに干渉させずにライナー８を取り付けることができる。しかも、電子棚札１Ａの表示部表面（液晶パネル２１）とライナー８の正面（上部係止部８ａと下部係止部８ｂの位置）とが略同一面となり、電子棚札１Ａをライナー８より手前に突出しないように取り付けることが可能となっている。
【００３０】
以上、本発明による電子棚札、情報表示パネル、および情報表示方法の実施の形態について説明したが、本発明は上記の実施の形態に限定されるものではなく、その趣旨を逸脱しない範囲で適宜変更可能である。
例えば、本実施の形態では案内レール３３（３３Ａ、３３Ｂ）を額縁状枠部３２の左右両側に位置する両辺部３２ｂ、３２ｂに沿って縦方向に延ばして配置させ、情報表示パネルを案内レール３３の上方から下方に向けて差し込むことで装着する構成となっているが、このような形態に限定されることはなく、額縁状枠部３２の上下両端に位置する両辺部に沿って横方向に延びる案内レールを配し、情報表示パネルを横方向に移動させて額縁状枠部３２の所定位置に装着させる構成であってもかまわない。なお、横から差し込む場合においても、その横移動を所定位置で停止させるための係止部を設けることが好ましい。
【００３１】
また、本第１の実施の形態では窓縁表示パネル４の凸状部４１の下面部４１ａを案内レール３３の係止部３３ｃに当接させることで、下方への移動が規制された状態になっているが、これに限定されず、窓縁表示パネル４の下端部を下方より支持する溝部が額縁状枠部３２に設けられていてもよい。
さらに、額縁状枠部３２の開口窓３２ａ、案内レール６などの具体的な寸法、大きさ、形状などの構成は、例えば電子棚札本体２の外形、液晶パネル２１の大きさなどの条件に応じて適宜に設定することができる。
また、窓縁表示パネル４裏面に情報表示をさせて、表裏どちらでも使えるようにしてもよい。
【図面の簡単な説明】
【００３２】
【図１】本発明の第１の実施の形態による電子棚札の概略構成を示す斜視図である。
【図２】電子棚札の正面図である。
【図３】電子棚札の側面図であって、図２に示すＡ−Ａ線矢視図である。
【図４】電子棚札の下面図であって、図２に示すＢ−Ｂ線矢視図である。
【図５】図２に示すＣ−Ｃ線断面図である。
【図６】図５に示す電子棚札の端部の拡大図である。
【図７】第２の実施の形態による電子棚札の構成を示す正面図である。
【図８】第３の実施の形態による電子棚札の構成を示す図であって、（ａ）はその正面図、（ｂ）はその側面図である。
【図９】第４の実施の形態による電子棚札の構成を示す斜視図であって、ライナーに取り付けた状態の図である。
【図１０】図９に示す電子棚札の側面図である。
【図１１】従来の電子棚札の一例を示す斜視図である。
【符号の説明】
【００３３】
１、１Ａ  電子棚札
２  電子棚札本体
３  棚札フレーム
４  窓縁表示パネル（情報表示パネル）
６、６Ａ  スポッター（情報表示パネル）
７  クリアケース（情報表示パネル）
２１  液晶パネル（電子表示部）
３２  額縁状枠部
３２ａ  開口窓（窓）
３３、３３Ａ、３３Ｂ  案内レール
３３ａ  凹溝
３３ｂ  挿入部
３３ｃ  係止部
７３  表示部材（別の表示部材）
【図１】
2010110506.tif 000003
【図２】
2010110506.tif 000004
【図３】
2010110506.tif 000005
【図４】
2010110506.tif 000006
【図５】
2010110506.tif 000007
【図６】
2010110506.tif 000008
【図７】
2010110506.tif 000009
【図８】
2010110506.tif 000010
【図９】
2010110506.tif 000011
【図１０】
2010110506.tif 000012
【図１１】
2010110506.tif 000013